(57)【特許請求の範囲】
【請求項１】
ＦＰＣの導体に弾接するコンタクト（２０Ａ）、（２０Ｂ）を有する端子（１８Ａ）、(１８Ｂ)を横並びで複数備えたハウジング本体（４）と、端子（１８Ａ）、（１８Ｂ）のコンタクト（２０Ａ）、（２０Ｂ）のうちその一部または全部へ向けてＦＰＣを押圧する為のアクチュエータ（２）とを備えているＦＰＣ用コネクタにおいて、
前記アクチュエータ（２）は、ＦＰＣを端子（１８Ａ）、（１８Ｂ）のコンタクト（２０Ａ）、（２０Ｂ）への一部または全部に向けて付勢する接続姿勢と、ハウジング本体（４）に対しＦＰＣの接続端部を挿入または引き抜き可能とする開放姿勢の間で姿勢変化可能にハウジング本体（４）に取付けられていると共に、
アクチュエータ（２）が開放姿勢の時に、アクチュエータ（２）側に形成した斜面(３)とハウジング本体（４）側に形成した斜面（５）が正対し、かつ、当接するようにしてあり、
而も、ハウジング本体（４)側の斜面（５）が、アクチュエータ（２）の側縁と対向する位置に設けた保持壁（１４）の内面に形成した凹部(１７)に形成されていると共に、アクチュエータ（２）側の斜面(３)が、前記凹部（１７）に進入可能に設けた凸部（８）に形成されており、前記凹部(１７)と凸部(８)の嵌合によって双方の斜面（３）、（５）が正対し、かつ、当接するようにしてあるＦＰＣ用コネクタ。
【請求項２】
ＦＰＣの導体に弾接するコンタクト（２０Ａ）、（２０Ｂ）を有する端子（１８Ａ）、(１８Ｂ)を横並びで複数備えたハウジング本体（４）と、端子（１８Ａ）、（１８Ｂ）のコンタクト（２０Ａ）、（２０Ｂ）のうちその一部または全部へ向けてＦＰＣを押圧する為のアクチュエータ（２）とを備えているＦＰＣ用コネクタにおいて、
前記アクチュエータ（２）は、ＦＰＣを端子（１８Ａ）、（１８Ｂ）のコンタクト（２０Ａ）、（２０Ｂ）への一部または全部に向けて付勢する接続姿勢と、ハウジング本体（４）に対しＦＰＣの接続端部を挿入または引き抜き可能とする開放姿勢の間で姿勢変化可能にハウジング本体（４）に取付けられていると共に、
アクチュエータ（２）が開放姿勢の時に、アクチュエータ（２）側に形成した斜面(３)とハウジング本体（４）側に形成した斜面（５）が正対し、かつ、当接するようにしてあり、
而も、アクチュエータ（２）の接続姿勢と開放姿勢が略直角であり、更にハウジング本体（４)側の斜面（５）が、アクチュエータ（２）の側縁と対向する位置に設けた保持壁（１４）の内面に形成した凹部(１７)に形成されていると共に、アクチュエータ（２）側の斜面(３)が、前記凹部（１７）に進入可能に設けた凸部（８）に形成されており、前記凹部(１７)と凸部(８)の嵌合によって双方の斜面（３）、（５）が正対し、かつ、当接するようにしてあるＦＰＣ用コネクタ。
【発明の詳細な説明】
【０００１】
【発明の属する技術分野】
この発明は、一般にＦＰＣ即ちＦｌｅｘｉｂｌｅ  Ｐｒｉｎｔｅｄ  Ｃｉｒｃｕｉｔ（フレキシブルプリント基板）、ＦＦＣ即ちＦｌｅｘｉｂｌｅ  Ｆｌａｔ  Ｃａｂｌｅ（平型柔軟ケーブル）等と呼ばれている柔軟ケーブル（以下ではこれらを代表して単にＦＰＣと呼ぶ。）とプリント配線基板等の他の回路を接続する為のＦＰＣ用コネクタに関する。尚こうしたコネクタにはＺＩＦ（挿抜力ゼロ）タイプとＮＯＮ＝ＺＩＦ（くわえ込み固定）タイプ、そしてＺＩＦ接点とＮＯＮ−ＺＩＦ接点の双方を具備するタイプがあるが、少なくとも一部にＺＩＦ接点を有するものに広く利用可能なものである。
【０００２】
【従来の技術】
従来、この種の電気コネクタとして、ＦＰＣの導体に弾接するコンタクトを有する端子を横並びで複数備えたハウジング本体と、端子のコンタクトへ向けてＦＰＣを押圧する為のアクチュエータとを備えているＦＰＣ用コネクタが周知である。アクチュエータは、通常、ハウジング本体に対して回動可能に装着されているものが多く使用されている。アクチュエータの回動によって、ハウジング本体に形成されたＦＰＣの受入空洞を開放してＦＰＣの接続端部を挿入した後、アクチュエータを回動してＦＰＣの受入空洞を閉鎖すると、アクチュエータがＦＰＣをコンタクト側へ押し付けて、ＦＰＣの導体とコンタクト間に良好な電気的導通が形成されるようにしている。
【０００３】
前記のようなＦＰＣ用コネクタにおいて、ＦＰＣの接続端部をコネクタ本体に形成されたＦＰＣの受入空洞へ挿入する際には、アクチュエータが開放状態を保持できるように構成されるのが、接続の作業性の点で望ましく、一例を挙げれば、図２３のような保持構造が知られていた。ハウジング本体の側部に、アクチュエータ５１の側縁と対向するように係合壁５２を設け、この係合壁５２に開放状態のアクチュエータ５１と係合するようにした肩部５３を形成したものである。アクチュエータ５１を閉鎖する時は、矢示５４の方向にアクチュエータ５１を回動させて、係合壁５２を外方に撓ませて、肩部５３との係合が解けるようにしていた。アクチュエータ５１を開放する際にも係合壁５２を一旦撓ませてから肩部５３がアクチュエータ５１の側縁に係合する。
【０００４】
【発明が解決しようとする課題】
前記に例示したように、従来のアクチュエータの保持構造では、アクチュエータの側縁と係合壁の肩部を係合させる構造としていたので、アクチュエータの側縁及び／または係合壁の肩部が摩耗し易い問題点があった。摩耗が進行すると肩部と側縁の係合によるアクチュエータの保持機能は失われてしまう。
【０００５】
また、アクチュエータの回動の際には、係合壁の肩部を乗り越える為に係合壁を外側へ比較的大きく撓ませる力が必要であるので、一時的に大きな力をアクチュエータに加えなければならず、接続作業時の操作性が悪いという問題点もあった。
【０００６】
一方、摩耗を抑える為にアクチュエータ５１と係合壁５２の間のクリアランスを大きくとったり、或いは肩部５３の張り出し量を小さくするとアクチュエータの開状態の維持が損なわれ、アクチュエータが微細な振動等の為に綴じてしまうおそれがあり、そもそも保持機能を十分有しないこととなる。
【０００７】
近年、回路の導通検査等の際にこうしたＦＰＣコネクタにおいて、そのアクチュエータを開状態に保つことにより、露出した端子に対して導通チェッカーピンを接触させテストを行うことがあるが、この際にアクチュエータが図らずも閉鎖されてしまうとこうしたチェックが迅速に行えず、検査作業効率を著しく阻害することとなる。
【０００８】
この発明は斯かる問題点に鑑みてなされたもので、アクチュエータの操作性がよく、しかも、操作による摩耗も少なくできる上、導通チェックなどを行う際にもその作業性を損なうことのないアクチュエータの保持構造を備えたＦＰＣ用コネクタを提供することを目的としている。
【０００９】
【課題を解決するための手段】
前記の目的のもとになされたこの発明は、アクチュエータを開放姿勢にした時に、アクチュエータ側に形成した斜面と、ハウジング本体側に形成した斜面がちょうど正対して当接するようにしたものである。
【００１０】
即ちこの発明は、ＦＰＣの導体に弾接するコンタクトを有する端子を横並びで複数備えたハウジング本体と、端子のコンタクトのうちその一部または全部へ向けてＦＰＣを押圧する為のアクチュエータとを備えているＦＰＣ用コネクタにおいて、
前記アクチュエータは、ＦＰＣを端子のコンタクトへの一部または全部に向けて付勢する接続姿勢と、ハウジング本体に対しＦＰＣの接続端部を挿入または引き抜き可能とする開放姿勢の間で姿勢変化可能にハウジング本体に取付けられていると共に、
アクチュエータが開放姿勢の時に、アクチュエータ側に形成した斜面とハウジング本体側に形成した斜面が正対し、かつ、当接するようにしてあり、
而も、ハウジング本体側の斜面が、アクチュエータの側縁と対向する位置に設けた保持壁の内面に形成した凹部に形成されていると共に、アクチュエータ側の斜面が、前記凹部に進入可能に設けた凸部に形成されており、前記凹部と凸部の嵌合によって双方の斜面が正対し、かつ、当接するようにしてあるＦＰＣ用コネクタである。
又ＦＰＣの導体に弾接するコンタクトを有する端子を横並びで複数備えたハウジング本体と、端子のコンタクトのうちその一部または全部へ向けてＦＰＣを押圧する為のアクチュエータとを備えているＦＰＣ用コネクタにおいて、
前記アクチュエータは、ＦＰＣを端子のコンタクトへの一部または全部に向けて付勢する接続姿勢と、ハウジング本体に対しＦＰＣの接続端部を挿入または引き抜き可能とする開放姿勢の間で姿勢変化可能にハウジング本体に取付けられていると共に、
アクチュエータが開放姿勢の時に、アクチュエータ側に形成した斜面とハウジング本体側に形成した斜面が正対し、かつ、当接するようにしてあり、
而も、アクチュエータの接続姿勢と開放姿勢が略直角であり、更にハウジング本体側の斜面が、アクチュエータの側縁と対向する位置に設けた保持壁の内面に形成した凹部に形成されていると共に、アクチュエータ側の斜面が、前記凹部に進入可能に設けた凸部に形成されており、前記凹部と凸部の嵌合によって双方の斜面が正対し、かつ、当接するようにしてあるＦＰＣ用コネクタである。
【００１１】
【作用】
前記のように構成されたこの発明のＦＰＣ用コネクタによれば、アクチュエータの開放姿勢は、アクチュエータ側に形成した斜面とハウジング本体側に形成した斜面が対向、当接しているので、そのまま維持することができる。そして、アクチュエータを接続姿勢と開放姿勢の間で姿勢変化する時、開放姿勢に近付いた時にのみ、双方の斜面が当接することから、アクチュエータ及び／またはハウジング本体の摩耗を少なくすることができる。更に、アクチュエータの姿勢変化の際のハウジング本体側の撓みまたは変形は小さく、また、双方の斜面が対向すると互いに正対しようとする性質によってアクチュエータを開放姿勢側に付勢することができる。この為、アクチュエータの操作性を良くすることができる。
【００１２】
【発明の実施の形態】
以下、この発明の実施形態を添付の図を参照して説明する。
【００１３】
図１、２がこの発明の実施形態のＦＰＣ用コネクタ１の要部を表している（端子は省略されている）。アクチュエータ２側に形成した斜面３と、ハウジング本体４側に形成した斜面５が正対し、かつ、当接して、アクチュエータ２がハウジング本体４に対して略直立した姿勢で維持されている。
【００１４】
アクチュエータ２は、図３乃至図９に表したような形状でプラスチックスを成形したものである。中央の押し板部６の両側後方にカム部７が設けられ、このカム部７の後端から外側に凸部８が形成され、そしてこの凸部８の後側角部に前記斜面３が形成されている。中央の押し板部６の両側前方には、断面を半円形とした係止突部９が形成されている。また、カム部７には下側縁に沿って弧状のカム７ａが形成してある。
【００１５】
ハウジング本体４は、図１０乃至図１４に表したような形状でプラスチックスを成形したものである。中央の前方（図１０において下側）と後方から、それぞれ、端子（以下で説明する）を装着できるように端子装着溝１０Ａ、１０Ｂが交互に形成してある。これらの端子装着溝１０Ａ、１０Ｂが形成された中央部の両側には、前記アクチュエータ２のカム部７のカム７ａと対向する弧状のカム受け面１１が形成してある。また、カム受け面１１の前方には係止壁１２が立設され、係止壁１２の内面にアクチュエータ２に形成した係止突部９と係合できるようにした係止溝１３が形成してある。
【００１６】
更に、前記カム受け面１１の外側には、保持壁１４がハウジング本体４の後端側から片持状態で設けてある。そして、この保持壁１４の先端内面に突部１５、１６を上下に離して形成することによって、突部１５、１６間に凹部１７が形成され、下側の突部１６の上面、即ち、突部１５と対向する面を前記斜面５としてある。
【００１７】
前記ハウジング本体４には、薄板金属板から打ち抜き成形された２種類の端子１８Ａ、１８Ｂが前方と後方から交互に装着されている。図１５乃至図１９は、ハウジング本体４に端子１８Ａ、１８Ｂが装着されると共に、アクチュエータ２が装着されて完成した実施形態のＦＰＣ用コネクタ１を表している。
【００１８】
端子１８Ａがハウジング本体４の前方から端子装着溝１０Ａに装着され、端子１８Ｂがハウジング本体４の後方から端子装着溝１０Ｂに装着されている。前方から装着された端子１８Ａが奇数番目となり、後方から装着された端子１８Ｂが偶数番目となって、全ての端子１８Ａ、１８Ｂが所定のピッチで横並び状態とされている。
【００１９】
奇数番目の端子１８Ａは図１８に示したような形状とされ、ハウジング本体４に形成されたＦＰＣ受入空洞１９に臨むコンタクト２０Ａが片持状に形成してある。また、偶数番目の端子１８Ｂは図１９に示したような形状とされ、ＦＰＣ受入空洞１９に臨むコンタクト２０Ｂが片持状に形成してあると共に、ハウジング本体４の上壁４ａに沿って延びる係合腕２１が形成されている。各端子１８Ａ、１８Ｂにはプリント基板（図示せず）等の回路導体に表面半田付けができるようにしたソルダテイル２２Ａ、２２Ｂも形成されている。
【００２０】
図示したようにハウジング本体４に装着されたアクチュエータ２は、押し板部６の外面に形成した係合凹部２３と端子１８Ｂに形成した係合腕２１の係合と、前記カム部７のカム７ａとカム受け面１１の係合によって、図１５乃至図１９に示したように、ハウジング本体４と略平行となってＦＰＣ受入空洞１９を閉鎖した姿勢と、図２０乃至図２２に示したように、ハウジング本体４に対して略直角に直立してＦＰＣ受入空洞１９を開放した姿勢の間で姿勢の変化が可能である。
【００２１】
アクチュエータ２がＦＰＣ受入空洞１９を閉鎖した姿勢では、ＦＰＣ受入空洞１９にハウジング本体４の前方から挿入されたＦＰＣ（図示せず）の接続端部を、押し板部６を介して特に端子１８Ｂのコンタクト２０Ｂに向けて付勢する。この結果、ＦＰＣの導体と各コンタクト２０Ａ、２０Ｂが１対１の関係で過不足の無い当接圧で接触し、導体と端子１８Ａ、１８Ｂが電気的に導通する。従って、この姿勢は接続姿勢である。この接続姿勢においては、アクチュエータ２に形成した係止突部９がハウジング本体４の係止壁１２に形成した係止溝１３に嵌合して係合する。従って、アクチュエータ２の係合凹部２３と端子１８Ｂの係合腕２１の係合と共同して接続姿勢が維持される。
【００２２】
一方、アクチュエータ２がＦＰＣ受入空洞１９を開放した姿勢では、ＦＰＣをＦＰＣ受入空洞１９に挿入することができ、また、ＦＰＣ受入空洞１９に挿入したＦＰＣはアクチュエータ２によるコンタクト２０Ｂへの付勢力が働いていないので比較的容易に引き抜くことが可能である。従って、この姿勢が開放姿勢である。アクチュエータ２を開放姿勢にした時は、ＦＰＣ受入空洞１９が広く開放されるので、ＦＰＣの挿入及び引き抜きが容易である。
【００２３】
アクチュエータ２が接続姿勢から開放姿勢に、図２の矢示２４の方向で姿勢変化する時、アクチュエータ２の両側に設けた凸部８は保持壁１４の内面に沿って矢示２５のように移動する。そして、凸部８は保持壁１４の内面に形成した凹部１７に進入して嵌合し、凸部８の斜面３と凹部１７の斜面５が正対し、かつ、当接する。この結果、開放姿勢のアクチュエータ２はそのままの状態で維持される。
【００２４】
アクチュエータ２の凸部８は、アクチュエータ２がまさに略直立した開放姿勢に至る時点でハウジング本体４側の凹部１７を若干拡げるようにして進入、嵌合し、斜面３と斜面５が摺接する。また、斜面３と斜面５が摺接した状態では、若干拡げられた凹部１７の復元力のもとで、互いに正対しようとする結果、アクチュエータ２を略直立した開放姿勢の方向に付勢することになる。この結果、アクチュエータ２の操作は大きな力を必要とすることなく容易にできる。更に、アクチュエータ２が開放姿勢に至る時点でのみ斜面３、５が摺接するだけであるので、アクチュエータ２及び／またはハウジング本体４の摩耗をきわめて少なくすることができる。
【００２５】
開放姿勢のアクチュエータ２を接続姿勢に姿勢変化する時は、図２の矢示２４と反対の方向に操作することになる。この場合には、凹部１７に嵌合した凸部８が凹部１７を若干拡げながら外側に脱出する。脱出するまでの間のみ、正対して当接している斜面３、５が摺接する。従って、この場合も、摩耗はきわめて少なく、また、アクチュエータ２の操作に要する力も小さいので、容易な操作が可能である。
【００２６】
【発明の効果】
以上に説明の通り、この発明によれば、アクチュエータが開放姿勢の時に、アクチュエータ側に形成した斜面とハウジング本体側に形成した斜面が正対し、かつ、当接する構成としたので、開放姿勢のアクチュエータをそのままの状態で維持できると共に、アクチュエータの操作によるアクチュエータ及び／またはハウジング本体の摩耗を少なくし、しかも、アクチュエータの操作に大きな力を必要としないで容易、軽快な操作が可能なＦＰＣ用コネクタを提供することができる。しかもアクチュエータの開状態が適切な力で保持されているので、導通チェックなどを行う際にもその作業性を損なうことがない。
そしてＦＰＣ受入空洞を広く開放できるので、ＦＰＣの挿入及び引き抜きをし易くすることができる。
また、アクチュエータ側に形成した斜面とハウジング本体側に形成した斜面を確実に当接させることができるので、斜面相互の作用、即ち、開放姿勢の維持及び開放姿勢側への付勢の作用を確実にすることができる。
【図面の簡単な説明】
【図１】  この発明の実施形態の要部を正面側から見て拡大した断面図である。
【図２】  同じく要部を側方から見て拡大した断面図である。
【図３】  この発明の実施形態のアクチュエータの平面図である。
【図４】  同じくアクチュエータの正面図である。
【図５】  同じくアクチュエータの側面図である。
【図６】  同じくアクチュエータの底面図である。
【図７】  同じくアクチュエータの背面図である。
【図８】  図４のＡ−Ａ線に沿って示した断面図である。
【図９】  図４のＢ−Ｂ線に沿って示した断面図である。
【図１０】  この発明の実施形態のハウジング本体の平面図である。
【図１１】  同じくハウジング本体の正面図である。
【図１２】  同じくハウジング本体の側面図である。
【図１３】  図１１のＣ−Ｃ線に沿って示した拡大断面図である。
【図１４】  図１０のＤ−Ｄ線に沿って示した拡大断面図である。
【図１５】  この発明の実施形態のＦＰＣ用コネクタの平面図である。
【図１６】  同じくＦＰＣ用コネクタの正面図である。
【図１７】  同じくＦＰＣ用コネクタの側面図である。
【図１８】  同じくＦＰＣ用コネクタの奇数番目の端子に沿って示した断面図である。
【図１９】  同じくＦＰＣ用コネクタの偶数番目の端子に沿って示した断面図である。
【図２０】  ＦＰＣ用コネクタのアクチュエータを開放姿勢にした状態の平面図である。
【図２１】  同じく正面図である。
【図２２】  同じく断面図である。
【図２３】  従来のアクチュエータの保持構造を説明する概略部分図である。
【符号の説明】
１          ＦＰＣ用コネクタ
２          アクチュエータ
３          斜面
４          ハウジング本体
５          斜面
８          凸部
１４        保持壁
１７        凹部
１８Ａ、１８Ｂ        端子
２０Ａ、２０Ｂ        コンタクト
【図１】
0004151129.tif 000002
【図２】
0004151129.tif 000003
【図３】
0004151129.tif 000004
【図４】
0004151129.tif 000005
【図５】
0004151129.tif 000006
【図６】
0004151129.tif 000007
【図７】
0004151129.tif 000008
【図８】
0004151129.tif 000009
【図９】
0004151129.tif 000010
【図１０】
0004151129.tif 000011
【図１１】
0004151129.tif 000012
【図１２】
0004151129.tif 000013
【図１３】
0004151129.tif 000014
【図１４】
0004151129.tif 000015
【図１５】
0004151129.tif 000016
【図１６】
0004151129.tif 000017
【図１７】
0004151129.tif 000018
【図１８】
0004151129.tif 000019
【図１９】
0004151129.tif 000020
【図２０】
0004151129.tif 000021
【図２１】
0004151129.tif 000022
【図２２】
0004151129.tif 000023
【図２３】
0004151129.tif 000024